(57)【要約】【課題】  電源のオン／オフまたはチャネル切り換えなどによる番組の再生の再生中断地点から，メモリ媒体に格納されているサービス番組の再生を再開する方法およびその装置を提供する。【解決手段】  動画によるサービス番組の再生を再開するサービス番組再生方法であって，サービス番組の再生を中断するイベントを検知し，該再生中断地点の識別情報を格納し，該サービス番組に対する再生再開指令を受信し，該識別情報に基づいて，サービス番組の再生中断地点を検索し，該検索した再生中断地点からサービス番組の再生を再開する。かかる構成により，ユーザーが該再生中断地点を検索しなくても該地点から番組を視聴できる。
2005515723.tif 000002
【特許請求の範囲】
【請求項１】
映像表示装置に用いられる，動画によるサービス番組の再生を再開するサービス番組再生再開方法であって：
前記サービス番組の再生を中断するイベントを検知する第1のステップと；
前記再生を中断するイベントによって中断された再生中断地点の識別情報を格納する第２のステップと；
前記サービス番組に対する再生再開指令を受信する第３のステップと；
前記第２のステップにおける前記識別情報に基づいて，前記サービス番組の前記再生中断地点を検索する第４のステップと；
前記検索した再生中断地点から前記サービス番組の再生を再開する第５のステップと；
を含むことを特徴とする，サービス番組再生再開方法。
【請求項２】
前記サービス番組は，ハードディスク，コンパクト・ディスク，デジタル多用途ディスク（ＤＶＤ：Ｄｉｇｉｔａｌ  Ｖｅｒｓａｔｉｌｅ  Ｄｉｓｃ）などのメモリ媒体に格納されていることを特徴とする，請求項１に記載のサービス番組再生再開方法。
【請求項３】
前記サービス番組は，前記映像表示装置に表示されると共に前記メモリ媒体に格納される，テレビ番組であることを特徴とする，請求項２に記載のサービス番組再生再開方法。
【請求項４】
前記再生を中断するイベントは，視聴者が，電源をオフした際，テレビ番組から前記メモリ媒体に格納されたサービス番組の中のいずれかの番組にチャネルを切り換えた際，および，前記メモリ媒体に格納されたサービス番組の中のいずれかの番組から他の番組にチャネルを切り換えた際のうちのいずれか一つによって発生することを特徴とする，請求項２に記載のサービス番組再生再開方法。
【請求項５】
前記識別情報は，前記サービス番組の前記再生中断地点に対応するアドレスとして表されることを特徴とする，請求項１に記載のサービス番組再生再開方法。
【請求項６】
前記識別情報は，中断された前記サービス番組の開始点に対応するアドレスとして表されることを特徴とする，請求項１に記載のサービス番組再生再開方法。
【請求項７】
前記識別情報は，中断された前記サービス番組の見出しの開始点に対応するアドレスとして表されることを特徴とする，請求項１に記載のサービス番組再生再開方法。
【請求項８】
前記識別情報は，前記サービス番組の開始点から前記再生中断地点までの経過時間として表されることを特徴とする，請求項１に記載のサービス番組再生再開方法。
【請求項９】
映像表示装置に用いられる，テレビ番組の再生を再開するサービス番組再生再開方法であって：
前記テレビ番組の再生の中断を表すイベントを検知する第1のステップと；
前記再生の中断を表すイベントによって中断された再生中断地点の識別情報を格納する第２のステップと；
前記再生中断地点からの前記テレビ番組を格納する第３のステップと；
中断されたテレビ番組の再生再開の指令を受信する第４のステップと；
前記第２のステップにおいて格納された前記識別情報に基づいて，前記再生中断地点を検索する第５のステップと；
該検索した再生中断地点から前記テレビ番組の再生を再開する第６のステップと；
を含むことを特徴とする，サービス番組再生再開方法。
【請求項１０】
前記再生の中断を表すイベントは，視聴者が，前記テレビ番組のチャネルから他のサービス番組のチャネルへ切り換えた際，または他のテレビ番組のチャネルへ切り換えた際に発生することを特徴とする，請求項９に記載のサービス番組再生再開方法。
【請求項１１】
前記識別情報は，前記サービス番組の前記再生中断地点に対応するアドレスとして表されることを特徴とする，請求項９に記載のサービス番組再生再開方法。
【請求項１２】
前記識別情報と，前記再生中断地点からの前記テレビ番組のデータとが，同一の格納素子に格納されることを特徴とする，請求項９に記載のサービス番組再生再開方法。
【請求項１３】
前記識別情報と，前記再生中断地点からの前記テレビ番組のデータとが，各々，異なる格納素子に格納されることを特徴とする，請求項９に記載のサービス番組再生再開方法。
【請求項１４】
視聴者がサービス番組視聴中のある時点にその再生を中断した中断番組の再生中断地点からサービス番組の再生を再開するサービス番組再生再開装置であって：
前記サービス番組は，テレビ番組または格納素子に格納された番組で，前記中断番組は，視聴者が前記サービス番組視聴中のある時点においてその再生を中断した番組で，前記再生中断地点は，前記サービス番組において前記視聴者が前記サービス番組の視聴を中断した位置または時刻であり；
チャネルの選択，電源のオン/オフ，前記サービス番組の再生を行う指令を発するための複数のキーボタンと，前記再生中断地点から前記中断番組の再生指令を行うための中断地点再生ボタンとを備えるキーパッドと；
複数のサービス番組を格納する前記格納素子と；
前記再生中断地点に対する識別情報および前記サービス番組に対するデータを格納する少なくとも一つのメモリ媒体と；
前記サービス番組の再生の中断または終了を示すイベントが発生すると，前記識別情報の格納に係る動作を制御すると共に，前記サービス番組の再生再開指令に応じて，前記識別情報に基づいて前記中断番組の再生を前記再生中断地点から再開させる制御手段と；
前記サービス番組の再生のために，前記サービス番組に対するオーディオ／ビデオ信号を出力する表示手段と；
を含むことを特徴とする，サービス番組再生再開装置。
【発明の詳細な説明】
【技術分野】
【０００１】
本発明は，視聴の再生中断地点からサービス番組の再生を再開する方法およびその装置に関し，特に，電源のオン／オフまたはチャネル切り換えなどによる再生中断地点から，格納媒体に格納されているサービス番組の再生を再開する方法およびその装置に関する。
【背景技術】
【０００２】
最近，デジタル映像圧縮およびデジタル変復調といったデジタル技術の発展に伴い，デジタルテレビ放送に関する標準化，例えば，ＭＰＥＧ（Ｍｏｖｉｎｇ  Ｐｉｃｔｕｒｅ  Ｅｘｐｅｒｔｓ  Ｇｒｏｕｐ）等への標準化が急速に進められている。
【０００３】
このデジタル放送システムは，デジタル映像/音声圧縮技術およびデジタル伝送技術の発展に伴って，アナログ・サービスと比較した高画質なサービスを提供することができる。また，同一帯域幅において，より多いチャネルを提供できると共に，デジタル通信メディアおよびデジタル格納メディアなどとの互換性を高めることができるという長所を有する。
【０００４】
このようなデジタル放送システムでは，ＭＰＥＧを基としてエンコ-ドされた複数の放送番組が多重化され，伝送ストリーム形態として伝送される。この伝送ストリームは，受信側に設けられたセットトップ・ボックスで受け，上記伝送ストリームに含まれている複数の放送番組に分離されて，所望の一放送番組だけを選択できる。この選択された放送番組は，前述のセットトップ・ボックスに組み込まれたデコーダによってデコードされ，元のオーディオおよびビデオの信号としてテレビなどのＡ／Ｖ出力装置に伝達される。
【０００５】
放送番組を受信するセットトップ・ボックスにおいて，最近では，ハードディスク・ドライブ（ＨＤＤ）を組み込んだＰＶＲセットトップ・ボックス（Ｐｅｒｓｏｎａｌ  Ｖｉｄｅｏ  Ｒｅｃｏｄｅｒ  ＳｅｔＴｏｐ  Ｂｏｘ）が提案されている。このＰＶＲセットトップ・ボックスは，デジタル放送データをハードディスクに格納する形式であり，ビデオ・カセット・レコーダ（ＶＣＲ）での録画動作と同様に，特定のチャネルを介して受信される放送番組を視聴する間においても，他のチャネルを介して受信される放送番組をハードディスクに録画可能であり，このときハードディスクに格納された放送番組を，ユーザーの望む時間に再生，視聴できる。
【０００６】
図１は，格納番組の再生中断地点を位置決する従来の方法を示すフロー図である。
【０００７】
ユーザー（即ち，視聴者）は，例えば，映画，スポーツ，学習番組，ミュージック・ビデオといった様々な放送番組をハードディスクに格納し，必要な時に再生して視聴することができる。ユーザーが，セットトップ・ボックスＳＴＢに格納されている複数の放送番組のうち，映画用放送番組を視聴（Ｓ１１０）している。この間，例えば，３０分経過の際に仕事のため視聴を中断し，該セットトップ・ボックスＳＴＢの電源をオフ（Ｓ１１２）しなければならないとする。
【０００８】
所定の時間が経過した後，ユーザーが再び中断番組を視聴したいと考えた場合，セットトップ・ボックスＳＴＢの電源をオンする（Ｓ１１４）。ここで，中断番組とは，ユーザーが番組の視聴中のある時刻において，ＰＶＲの電源オフや他のチャネルへの切替えによって中断された，ハードディスクに格納されている番組を指す。セットトップ・ボックスＳＴＢの電源オンに応じて，該セットトップ・ボックスＳＴＢは，設定チャネルを介してリアルタイムにて受信されるテレビ番組を提供し，ユーザーは該番組が視聴可能になる（Ｓ１１６）。ユーザーは，ハードディスクに格納されている該中断番組を再生するために，リモコン等を用いてメニューを選択する（Ｓ１１８）。次に，ユーザーは，複数のメニューの中からハードディスクに格納されている番組の一覧を表示し（Ｓ１２０），この中から中断番組を選択する（Ｓ１２２）。
【０００９】
続いて，ユーザーは，中断番組に対して再生ボタンを押し（Ｓ１２４），早送りボタンを押して該中断番組の再生中断地点を探す（Ｓ１２６）。ここで，再生中断地点とは，ユーザーが視聴中に中断した格納番組における中断位置または中断時刻を指す。ユーザーは早送り再生されている動画を見ながら再生中断地点を検索する。このような検索によって探した再生中断地点の画面から該番組を再生して視聴する（Ｓ１２８）。
【００１０】
また，ステップＳ１１０の後，ブックマークを設定することによって，セットトップ・ボックスＳＴＢをオフした後のステップＳ１２４において，再生中断地点の検索に該設定ブックマークを利用することもできる。即ち，ユーザーがセットトップ・ボックスＳＴＢをオンした後，リモコンを用いて複数のメニューの中から，格納されているサービス番組の一覧を表示するメニューを選択し，その中から中断番組を選択し，さらに，設定ブックマークを探すためにブックマークの一覧の中から，再生中断地点に該当するブックマークを選択する。このようなブックマークによって中断された地点から格納されている中断番組の再生を再開する。
【発明の開示】
【発明が解決しようとする課題】
【００１１】
ところが，前述の各従来方法においては，以前視聴したハードディスクに格納されているサービス番組を再生中断地点の画面から再視聴したい時には，ユーザーは，リモコンを用いてメニュー機能を実行し，複数のサービス番組の中から該中断番組を選択し，該番組を再生の後，早送りモードによって高速に進行する画面を確認しつつ再生中断地点の画面を検索しなければならなかった。
【００１２】
また，再生中断地点の画面が開始画面から相当な時間が経過した画面である場合には，上記のような早送りモードによって探す場合にも相当な時間を費やすこととなる。このことは，ユーザーにとって，格納媒体に格納されているサービス番組やビデオ映像の視聴に不便なだけでなく，退屈さを感じさせる要因になっている。
【００１３】
また，上記ブックマークを用いる方法は，ある程度有効であるが，ユーザーがブックマーク・リストを参照しなければならないので，リモコン上に設けられた様々なボタンを操作しなければならないという不都合がある。
【００１４】
本発明は，従来のサービス番組再生再開方法が有する上記問題点に鑑みてなされたものであり，本発明の目的は，電源のオン／オフまたはチャネル切り換えなどによる番組の再生中断地点から，メモリ媒体に格納されているサービス番組の再生を容易に再開することが可能な，新規かつ改良されたサービス番組再生再開方法およびその装置を提供することである。
【課題を解決するための手段】
【００１５】
上記の目的を達成するために，本発明の第１の観点によれば，映像表示装置に用いられる，動画によるサービス番組の再生を再開するサービス番組再生再開方法であって：上記サービス番組の再生を中断するイベントを検知する第1のステップと；上記再生を中断するイベントによって中断された再生中断地点の識別情報を格納する第２のステップと；上記サービス番組に対する再生再開指令を受信する第３のステップと；上記第２のステップにおける上記識別情報に基づいて，上記サービス番組の上記再生中断地点を検索する第４のステップと；上記検索した再生中断地点から上記サービス番組の再生を再開する第５のステップとを含むことを特徴とする，サービス番組再生再開方法が提供される。
【００１６】
また，本発明の第２の観点によれば，映像表示装置に用いられる，テレビ番組の再生を再開するサービス番組再生再開方法であって：上記テレビ番組の再生の中断を表すイベントを検知する第1のステップと；上記再生の中断を表すイベントによって中断された再生中断地点の識別情報を格納する第２のステップと；上記再生中断地点からの上記テレビ番組を格納する第３のステップと；中断されたテレビ番組の再生再開の指令を受信する第４のステップと；上記第２のステップにおいて格納された上記識別情報に基づいて，上記再生中断地点を検索する第５のステップと；該検索した再生中断地点から上記テレビ番組の再生を再開する第６のステップとを含むことを特徴とする，サービス番組再生再開方法が提供される。
【００１７】
また，本発明の第３の観点によれば，視聴者がサービス番組視聴中のある時点にその再生を中断した中断番組の再生中断地点からサービス番組の再生を再開するサービス番組再生再開装置であって：上記サービス番組は，テレビ番組または格納素子に格納された番組で，上記中断番組は，視聴者が上記サービス番組視聴中のある時点においてその再生を中断した番組で，上記再生中断地点は，上記サービス番組において上記視聴者が上記サービス番組の視聴を中断した位置または時刻であり；チャネルの選択，電源のオン/オフ，上記サービス番組の再生を行う指令を発するための複数のキーボタンと，上記再生中断地点から上記中断番組の再生指令を行うための中断地点再生ボタンとを備えるキーパッドと；複数のサービス番組を格納する上記格納素子と；上記再生中断地点に対する識別情報および上記サービス番組に対するデータを格納する少なくとも一つのメモリ媒体と；上記サービス番組の再生の中断または終了を示すイベントが発生すると，上記識別情報の格納に係る動作を制御すると共に，上記サービス番組の再生再開指令に応じて，上記識別情報に基づいて上記中断番組の再生を上記再生中断地点から再開させる制御手段と；上記サービス番組の再生のために，上記サービス番組に対するオーディオ／ビデオ信号を出力する表示手段と；を含むことを特徴とする，サービス番組再生再開装置が提供される。
【発明の効果】
【００１８】
本発明によれば，メモリ媒体などに格納されているサービス番組を視聴中に，他のチャネルに切り換え，その後再び該番組を視聴したい場合，再生中断地点の検索をせずとも該番組の中断画面から視聴できる。従って，従来技術に比べて，再生中断地点の検索など，再生再開の煩わしさを解消することができる。
【００１９】
また，本発明によれば，リモコン上に設けられた中断地点再生ボタンを押すだけで，中断番組を再生中断地点から直ちに視聴することができるという効果も奏する。
【発明を実施するための最良の形態】
【００２０】
以下，本発明の好適な実施形態について，添付図面を参照しながら詳細に説明する。
【００２１】
図２は，本発明の好適な実施形態に係るサービス番組再生再開システムを示す概略的なブロック図である。この実施形態において，格納番組とは，ＰＶＲセットトップ・ボックのハードディスクに格納されている，映画，スポーツ，ショーなどの動画を指し，再生中断地点とは，ユーザー（視聴者）が視聴中に中断した格納番組における中断位置または中断時刻を指す。
【００２２】
本実施形態によれば，サービス番組再生再開システムは，図２の如く，放送チャネルの選択，受信放送番組の格納，格納番組の再生などの実行指令を送出するリモコン２１０と，このリモコン２１０から送出される指令信号に応じて，放送番組の表示，格納，再生などを実行するＰＶＲセットトップ・ボックス２２０とを含む。
【００２３】
図２において，リモコン２１０は，キーを押すことによって赤外線信号を送出する赤外線送出部２１２と，格納番組の再生などの実行指令を入力するためのキーパッド２１４と，ユーザーが，後述のハードディスク２２６に格納されている放送番組の中の以前視聴した中断番組の再生中断地点から視聴再開したい場合，該再生中断地点からの再生指令を入力する中断地点再生ボタン２１６とを備えている。キーパッド２１４には，ＰＶＲセットトップ・ボックス２２０の動作モードとして，地上波放送モードまたは衛星放送モードを選択するためのキーボタンが設けられている。
【００２４】
図２中のＰＶＲセットトップ・ボックス２２０は，受信した放送信号の中からユーザーの選局入力によって選択されたテレビ番組を分離（逆多重化）し，選局テレビ番組のビデオおよびオーディオのデータ・ストリームを取り出す逆多重化部２２２と，この逆多重化部２２２によって分離（逆多重化）されたテレビ番組を一時的に格納するバッファ・メモリ２２４と，テレビ番組を格納するハードディスク２２６と，許可された加入者のみが有料テレビ番組を視聴できる限定受信機能（ＣＡＳ；Ｃｏｎｄｉｔｉｏｎａｌ  Ａｃｃｅｓｓ  Ｓｙｓｔｅｍ）を持つデスクランブラー２２８と，このデスクランブラー２２８から与えられるビデオおよびオーディオのデータ・ストリームを可変長復号化（ＶＬＤ；Ｖａｒｉａｂｌｅ  Ｌｅｎｇｔｈ  Ｄｅｃｏｄｉｎｇ），逆ＤＣＴ（Ｉ−ＤＣＴ；Ｉｎｖｅｒｓｅ  Ｄｉｓｃｒｅｔｅ  Ｃｏｓｉｎｅ  Ｔｒａｎｓｆｏｒｍ），逆量子化動き補償（Ｄｅ−Ｑｕａｎｔｉｚａｔｉｏｎ  Ｍｏｔｉｏｎ  Ｃｏｍｐｅｎｓａｔｉｏｎ）などのＭＰＥＧ復号化技法を用いて，放送局で符号化する前のビデオ信号およびオーディオ信号に復元するデコーダ２３０と，リモコン２１０から送出された赤外線信号を受信し，この赤外線信号をそれに対応する電気的なコード信号に変換する赤外線受信部２３２と，放送信号を受信して表示する所定の過程を制御し，または受信したテレビ番組を格納し再生する機能を制御するコントローラ２３４と，以前視聴したサービス番組の中断画面の位置情報を格納するデータ・メモリ２３６と，コントローラ２３４により設定されるセットトップ・ボックスの動作モードを格納するためのモード格納部２３８とから構成される。
【００２５】
上記バッファ・メモリ２２４に一時格納されている分離（逆多重化）されたテレビ番組は，ユーザーの録画または再生の指令に応じ，コントローラ２３４を介して，ハードディスク２２６に格納されるか，またはデスクランブラー２２８に供給される。
【００２６】
ハードディスク２２６には，ファイル・システムを含むオペレーティング・システムが組み込まれている。ハードディスク２２６は，アナログ信号をデジタル信号に変換して格納する場合には最大約４０時間分，デジタル信号を格納する場合には最大約２０時間分のテレビ番組を格納することができる容量を有する。また，ハードディスク２２６は，オペレーティング・システムのファイル・システムによりテレビ番組を格納する領域と，ブックマーク情報，予約録画および録画一覧情報，住所録情報，または，電話帳情報といった管理用のデータを格納する領域とに区分されて使われる。ハードディスク２２６に格納されるテレビ番組データまたは管理用データは，各々一つのデータ・ファイルによって構成され，各データ・ファイルはデータの基本格納単位であるクラスターのリンクによって構成される。
【００２７】
デスクランブラー２２８は，逆多重化部２２２またはハードディスク２２６からバッファ・メモリ２２４を介して供給される，スクランブルされたテレビ番組に対して，このスクランブル過程の逆順の過程で，正常なビデオシーケンスに合うようにデスクランブルを行う。デスクランブラー２２８によりデスクランブルされたテレビ番組データは，デコーダ２３０に供給される。このデコーダ２３０により復元されたビデオおよびオーディオの信号は，ビデオ・オーディオ信号処理部（図示せず）を経てテレビ受像機ＴＶのような表示装置に供給される。
【００２８】
次に，図３のフロー図を参照して，本発明によるサービス番組再生再開方法を詳述する。前述のように，中断番組とは，ユーザーが番組の視聴中のある時刻において，例えばＰＶＲの電源オフや他のチャネルへの切替えによって中断され，その後のハードディスクに格納されている番組を指す。
【００２９】
まず，ユーザーは，リモコン２１０や電源スイッチ（図示せず）を用いてＰＶＲセットトップ・ボックス２２０の電源をオンする。コントローラ２３４は，ＰＶＲセットトップ・ボックス２２０に対する初期化処理を行うと共に，モード格納部２３８に格納されているモード情報に基づいて，ＰＶＲセットトップ・ボックス２２０の初期動作モードを設定する。例えば，ユーザーがリモコン２１０を用いて衛星放送受信モードを選択し，それに対応するモード選択信号が赤外線受信部２３２によって受信されれば，コントローラ２３４はモード格納部２３８に衛星放送受信モード情報を格納する。
【００３０】
放送衛星（図示せず）から送出されたデジタル放送信号は，端末のアンテナ（図示せず）で受信されてＰＶＲセットトップ・ボックス２２０に伝えられる。ユーザーは衛星放送を視聴するために，テレビ（ＴＶ）をオンし，リモコン２１０を用いて視聴したいチャネルを選択する。
【００３１】
ユーザーがリモコン２１０を用いて，視聴を希望する，例えば，映画上映チャネルを選択すると，リモコン２１０は，チャネル選択信号をＰＶＲセットトップ・ボックス２２０に送出する。コントローラ２３４は，リモコン２１０から受信されたチャネル選択信号に該当する放送チャネルが表示されるように，逆多重化部２２２などの各構成要素を制御する。
【００３２】
逆多重化部２２２は，チューニング，チャネル復調手段（図示せず）などを通じて受信されるデジタル・データ・ストリームをコントローラ２３４の制御に応じて分離（逆多重化）する。これによって，トランスポート・ストリーム・パケットに多重化されているデジタル・データ・ストリームの中から，特定の単一番組伝送ストリーム（ＳＰＴＳ；Ｓｉｎｇｌｅ  Ｐｒｏｇｒａｍ  Ｔｒａｎｓｐｏｒｔ  Ｓｔｒｅａｍ）または一連のデータ・ストリームを取り出す。
【００３３】
逆多重化データ・ストリームがスクランブルされたテレビ番組の場合，デスクランブラー２２８はビデオデータ・ストリームをスクランブル過程の逆順の過程で，正常なビデオシーケンスに合うようにデスクランブルし，デコーダ２３０に供給する。逆多重化部２２２により取り出された各データ・エレメントは，デコーダ２３０によりデコードされ，衛星放送信号のビデオおよびオーディオの信号に対するデータ・ストリームとして各々取り出され，テレビ（ＴＶ）に出力される。
【００３４】
この時，ユーザーが視聴中のテレビ番組を録画したいと考えたとき，リモコン２１０を用いてテレビ番組録画機能を選択し該番組の情報を入力すると，リモコン２１０は，それに対応する赤外線信号を赤外線送出部２１２から送出する。ＰＶＲセットトップ・ボックス２２０のコントローラ２３４は，リモコン２１０からの録画指令信号を受信すると，逆多重化部２２２により取り出したデータをバッファ・メモリ２２４に格納し，バッファ・メモリ２２４に格納したデータを再びハードディスク２２６に格納する。
【００３５】
前述のシーケンスによって衛星テレビ番組がハードディスク２２６に格納される。ユーザーがかかる格納された衛星テレビ番組のうちのいずれかを再生したいと考えた場合，ユーザーは，リモコン２１０を用いて再生機能を選択する。コントローラ２３４は，リモコン２１０から，格納されたテレビ番組の再生指令を受信し，バッファ・メモリ２２４に格納されている各番組ファイルのリストを読み込み，テレビ（ＴＶ）に出力する。ユーザーは，テレビ（ＴＶ）上に出力されている番組の一覧を見て，リモコン２１０を使用して自己の視聴したいテレビ番組，例えば，ドラマ番組を選択し，この選択したドラマ番組を再生する指令を入力する。すると，コントローラ２３４は，ハードディスク２２６からユーザーの選択したドラマ番組に該当する番組データを読み込み，それをデコーダ２３０に供給し，ユーザーの選択したドラマ番組のデータを復号させた後，ビデオおよびオーディオの信号としてテレビＴＶに出力する（Ｓ３０２）。
【００３６】
ユーザーがＰＶＲセットトップ・ボックス２２０のハードディスク２２６に格納されているテレビ番組の中からドラマ番組を選択し，視聴している途中，所定の理由によって，再生中のドラマ番組を中断するイベントが発生したとする（Ｓ３０４）。このイベントは，例えば，ユーザーがリモコン２１０を使用してドラマ番組に対応するチャネルを選択し，ドラマ番組の視聴中のある時刻において，現在リアルタイムで放映されているテレビ番組の視聴のため，他のチャネルへの切り換えを行う場合がある。
【００３７】
上記イベントは，ユーザーが番組を視聴している間の，ＰＶＲセットトップ・ボックス２２０の電源オフ，または，ハードディスク２２６内の他の番組へのチャネル切り換え，もしくは，他のテレビ番組チャネルへの切り換えであってもよい。
【００３８】
コントローラ２３４は，リモコン２１０からテレビ番組のチャネル選択指令を受信すれば，ハードディスク２２６のドラマ番組の再生を中断する（Ｓ３０６）。同時に，コントローラ２３４はドラマ番組における再生中断地点の識別情報（即ち，位置データ）をデータ・メモリ２３６に格納する（Ｓ３０８）。データ・メモリ２３６に格納される識別情報は，ハードディスク２２６の一定な領域に格納されている該ドラマ番組データ中の再生中断地点を示す格納アドレスである。
【００３９】
また，コントローラ２３４は，ユーザーが視聴したいチャネルに対応する現在のテレビ番組を出力するために，ＰＶＲセットトップ・ボックス２２０の各機能要素を制御する（Ｓ３１０）。
【００４０】
ユーザーは，リアルタイムで供給されているテレビ番組やハードディスク２２６に格納されている他の番組を視聴している途中で，中断番組を再び見るために，リモコン２１０上に設けられている中断地点再生ボタン２１６を押す（Ｓ３１２）。ここで中断地点再生ボタン２１６を押さなければステップＳ３１０を行い続ける。
【００４１】
リモコン２１０から，中断地点の再生に関する赤外線信号を受信したコントローラ２３４は，上記のイベントを中断し，データ・メモリ２３６に格納されている再生中断地点の識別情報を読み込む（Ｓ３１４）。その後，コントローラ２３４は，ハードディスク２２６に格納されているサービス番組の中から，データ・メモリ２３６より読み込んだ識別情報に該当するドラマ番組データを検索するため，ハードディスク２２６を検索する（Ｓ３１６）。
【００４２】
コントローラ２３４は，ハードディスク２２６の格納領域から，該識別情報に関連する番組ファイルのクラスターの，ファイル名およびアドレス情報を取り出し，これに基づいて識別情報に該当するデータ・ストリームの格納アドレスを検索する。
【００４３】
こうして，以前に視聴したドラマ番組の再生中断地点を探し，コントローラ２３４は，ハードディスク２２６において検索された，以前視聴したドラマ番組の再生中断地点のデータを読み込み，これをバッファ・メモリ２２４に予め決められたフォーマットで格納する。また，コントローラ２３４は，バッファ・メモリ２２４から該データを取り出して，該データがスクランブル・データかデスクランブルかを判断する。スクランブル・データの場合，デスクランブラー２２８は，コントローラ２３４の制御下でそのスクランブル・データをデスクランブルし，その結果データをデコーダ２３０に供給する。一方，ディスクランブル・データの場合，該データは直ちにデコーダ２３０に供給される。最後に，デコーダ２３０によって復号化を行い，このオーディオおよびビデオデータが，テレビＴＶに送られ表示される（Ｓ３１８）。
【００４４】
前述の手続きにより，ユーザーは再生中断地点の手動検索なしに，該再生中断地点から中断番組の再生を再開することができる。
【００４５】
また，ステップＳ３０２の後に，ユーザーが，他の仕事のためＰＶＲセットトップ・ボックス２２０の電源をオフする場合においても，コントローラ２３４は，現在提供中のドラマ番組を中断し，その再生中断地点の位置情報をデータ・メモリ２３６に格納する。従って，それ以降にユーザーが，視聴再生中断地点から再び視聴するために，中断地点再生ボタン２１６を押すと，コントローラ２３４は，前述のようにステップＳ３１４〜Ｓ３１８の工程を自動に行い，以前に視聴していたサービス番組を再生中断地点から再開する。
【００４６】
図４は，本発明の好適実施形態によるサービス番組再生再開方法を示すフロー図である。
【００４７】
ユーザーがテレビ番組を視聴しているステップＳ４０２中に，イベントが発生した場合（ステップＳ４０４），ＰＶＲセットトップ・ボックは，該テレビ番組に対するデータと，該イベント発生の検出に応じた再生中断地点に対する識別情報とを格納する（ステップＳ４０６）。ステップＳ４０８〜ステップＳ４１６の詳細は，前述のステップＳ３１０〜ステップＳ３１８のプロセスと実質的に同様なので，ここでは略す。
【００４８】
前述の中断番組の再生再開プロセスは，再生中断地点を表す識別情報を用いることで説明したが，格納番組の開始点から再生中断地点までの時間情報，格納番組における最後のＧＯＰ（Ｇｒａｐｈｉｃ  Ｏｆ  Ｐｉｃｔｕｒｅ）の１ピクチャーのアドレス，または開始点のアドレスが用いられても良い。
【００４９】
本発明の実施形態によれば，ユーザーがチャネルの切り換えを行い，ＰＶＲセットトップ・ボックス２２０のハードディスク２２６に格納されている番組のうち，現在再生している番組の以外を視聴するか，または，ハードディスク２２６に格納されている番組の視聴中にＰＶＲセットトップ・ボック２２０の電源をオフしても，ＰＶＲセットトップ・ボックは再生中断地点を表す情報を自動に格納する。この再生中断地点情報に基づいて，ＰＶＲセットトップ・ボック２２０は，ユーザーが中断番組の再生を再開しようとすると，該中断番組の再生中断地点を自動に位置決めして，ユーザーが該再生中断地点を検索しなくても該地点から番組を視聴させることができる。このような自動位置決めおよび再生プロセスは，単にユーザーが中断地点再生ボタン２１６を押すことによって自動実行される。
【００５０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５１】
本発明は，視聴の再生中断地点からサービス番組の再生を再開する方法およびその装置に関し，特に，電源のオン／オフまたはチャネル切り換えなどによる再生中断地点から，格納媒体に格納されているサービス番組の再生を再開する方法およびその装置に適応可能である。
【図面の簡単な説明】
【００５２】
【図１】従来のＰＶＲセットトップ・ボックスに格納された再生番組の過去に中断された中断画面を探す方法を示すフロー図である。
【図２】本発明の好適実施形態に係るサービス番組再生再開装置を示す概略的なブロック図である。
【図３】本発明の好適実施形態に係るサービス番組再生再開方法を説明するためのフロー図である。
【図４】本発明の好適実施形態によるサービス番組再生再開方法を示すフロー図である。
【符号の説明】
【００５３】
２１０  リモコン
２１２  赤外線送出部
２１４  キーパッド
２１６  中断地点再生ボタン
２２０  ＰＶＲセットトップ・ボックス
２２２  逆多重化部
２２４  バッファ・メモリ
２２６  ハードディスク
２２８  デスクランブラー
２３０  デコーダ
２３２  赤外線受信部
２３４  コントローラ
２３６  データ・メモリ
２３８  モード格納部
【図１】
2005515723.tif 000003
【図２】
2005515723.tif 000004
【図３】
2005515723.tif 000005
【図４】
2005515723.tif 000006
【国際調査報告】
2005515723.tif 000007